(57)【要約】      （修正有）【課題】建物内に設置されて、火災等の非難時に非常口などの避難誘導方向へ人を誘導する。【解決手段】避難誘導照明システム１は、部屋の床面となるように敷設される複数のパネル２，３と、パネル２の上面２ａから上方に放射光を出射する光源４と、パネル３への圧力によって発電する圧電センサー５と、圧電センサー５によって発電された電力を貯蔵する蓄電装置６と、蓄電装置６に貯蔵された電力が電源として入力され、光源４を点灯する点灯装置７と、非常用信号を受信する受信装置８と、受信装置８が非常用信号を受信したときに、光源４の点灯により部屋の出口への誘導経路が形成されるように、蓄電装置６を点灯装置７に接続させるとともに点灯装置７を制御する制御装置９とを具備している。【選択図】図１
2011028627.tif 000002
【特許請求の範囲】
【請求項１】
部屋の床面となるように敷設される複数のパネルと；
前記パネルの下面に設けられ、前記パネルの上面から上方に放射光を出射する光源と；
前記パネルの下面に設けられ、前記パネルへの圧力によって発電する圧電センサーと;
この圧電センサーによって発電された電力を貯蔵する蓄電装置と；
この蓄電装置に貯蔵された電力が電源として入力され、前記光源を点灯する点灯装置と；
非常用信号を受信する受信装置と；
この受信装置が非常用信号を受信したときに、前記光源の放射光が出射される前記パネルにより部屋の出口への誘導経路が形成されるように、前記蓄電装置を前記点灯装置に接続させるとともに前記点灯装置を制御する制御装置と；
を具備していることを特徴とする避難誘導照明システム。
【請求項２】
前記光源が設けられた少なくとも１個のパネルは、部屋の出口の近傍に設けられ、当該パネルに設けられた前記光源は、専用の点灯装置により点灯制御されるとともに、当該専用の点灯装置に給電可能な非常用電源が設けられていることを特徴とする請求項１記載の避難誘導照明システム。
【請求項３】
前記非常用電源は、通常時、交流電源を直流電源に変換するＡＣ−ＤＣ変換装置により充電され、前記制御装置は、前記交流電源の停電を非常用信号として入力することを特徴とする請求項２記載の避難誘導照明システム。
【請求項４】
前記パネルは、置物の荷重を検出する荷重センサーを設けており、前記制御装置は、当該荷重センサーが置物の荷重を検出している前記パネルに前記光源が設けられている場合には、前記光源を点灯しないように前記点灯装置を制御することを特徴とする請求項１ないし３いずれか一記載の避難誘導照明システム。
【発明の詳細な説明】
【技術分野】
【０００１】
本発明は、建物内に設置されて、火災等の避難時に非常口などの避難誘導方向へ人を誘導する避難誘導照明システムに関する。
【背景技術】
【０００２】
各種の建物や施設等においては、火災や地震などの災害が発生したときに、それらの建物や施設等の内部に停留している人を迅速にかつ安全に避難誘導する必要があり、このため、消防法などに基づいて、各種の避難誘導システムが提供されている。例えば、人の足下対応位置を明るく照明した状態で、人を安全に避難誘導方向へ誘導させることができる避難誘導システムが提案されている（特許文献１参照。）。
【０００３】
この従来技術の避難誘導システムは、制御部が建物の通路に並設された各避難誘導灯の一方半導体光源を点灯させるとともに、センサー部から異常検知信号を受信した避難誘導時に、他方半導体光源を異常検知信号に基づいて避難誘導方向に向かって順次移動点滅させるものであり、例えば一方色彩を白色、他方色彩を緑色として、常時白色光でもって足下対応位置を照射するとともに、避難誘導時に順次移動点滅する緑色光でもって両避難誘導方向を指示することにより、人を安全に避難場所に避難させることができるというものである。
【０００４】
また、避難誘導灯および制御部が蓄電池部を介して太陽電池に接続されているので、建物に火災が発生して停電しても、電源が太陽電池でもって充電された蓄電池部から供給されて、停電時であっても確実に避難誘導方向へ人を誘導することができるというものである。
【０００５】
また、施工が容易であり耐久性が高い誘導表示システムが提案されている（特許文献２参照。）。この従来技術の誘導表示システムは、壁面もしくは床面に貼付可能な複数のＥＬ（エレクトロルミネッセンス）シートと、該複数のＥＬシートの各々と接続され該ＥＬシートの灯火を制御するための制御装置と、建物の各位置に配置され該制御装置に接続され異常を検知するための複数の異常感知装置を備え、異常感知装置が異常を感知すると前記制御装置に信号を発信し、この信号を受けた制御装置は、前記信号発信に係る異常感知装置の位置から避難する方向へ誘導するように前記ＥＬシートを灯火させるように制御するものである。すなわち、異常検知信号を発信した異常検知装置の位置から避難する方向へ計画的かつ的確に誘導するように、複数のＥＬシートが灯火され、これにより、火災等の災害発生時でも、安全・確実な避難誘導を自動的に作動させることが可能というものである。また、壁面もしくは床面に簡単に貼付可能な複数のＥＬシートを用いるので、避難表示システムの敷設にコストをかけることがなく、廉価でしかも簡易に施工ができるというものである。
【０００６】
また、ＥＬシート、制御装置および異常感知装置の少なくとも１つに電力を供給する無停電電源装置（ＵＰＳ）をさらに備える構成にすることにより、停電発生時であっても、避難誘導システムが支障なく作動することができ、安全性の確保がより強力に保証されるというものである。
【先行技術文献】
【特許文献】
【０００７】
【特許文献１】特開２０００−１３３０１９号公報（第４頁、第１図）
【特許文献２】特開２００７−１５６６５１号公報（第４頁、第１図）
【発明の概要】
【発明が解決しようとする課題】
【０００８】
特許文献１の避難誘導システムは、停電時の電源である蓄電池部を太陽電池でもって充電するので、太陽電池を屋外に設置する必要があり、太陽電池と蓄電池部との接続距離が長くなって、施工が複雑になるという欠点を有する。
【０００９】
また、特許文献２の誘導表示システムは、無停電電源装置（ＵＰＳ）を備える構成においては、通常、当該無停電電源装置が常時例えば商用交流電源から充電されているものである。無停電電源装置は、通常、常時自己放電（自然放電）しているので、当該自己放電による電力損失が発生するという欠点を有する。
【００１０】
本発明は、部屋ごとに簡易に施工できるとともに、省電力が図れる避難誘導照明システムを提供することを目的とする。
【課題を解決するための手段】
【００１１】
請求項１に記載の避難誘導照明システムの発明は、部屋の床面となるように敷設される複数のパネルと；前記パネルの下面に設けられ、前記パネルの上面から上方に放射光を出射する光源と；前記パネルの下面に設けられ、前記パネルへの圧力によって発電する圧電センサーと;この圧電センサーによって発電された電力を貯蔵する蓄電装置と；この蓄電装置に貯蔵された電力が電源として入力され、前記光源を点灯する点灯装置と；非常用信号を受信する受信装置と；この受信装置が非常用信号を受信したときに、前記光源の放射光が出射される前記パネルにより部屋の出口への誘導経路が形成されるように、前記蓄電装置を前記点灯装置に接続させるとともに前記点灯装置を制御する制御装置と；を具備していることを特徴とする。
【００１２】
本発明および以下の各発明において、特に言及しない限り、各構成は以下による。
【００１３】
部屋の床面は、光源および圧電センサーが設けられるパネルでもって敷設されてもよく、当該パネル以外のパネルをさらに備えて敷設されてもよい。
【００１４】
光源は、発光ダイオード（ＬＥＤ）素子、有機エレクトロルミネッセンス（ＥＬ）素子、蛍光ランプなどの放電ランプや電球など、可視光を放射するものであればよい。また、光源は、パネルに一体的に設けられてもよく、別体に設けられてもよい。
【００１５】
光源が設けられるパネルは、透光性を有する材料から形成される。この場合、光源からの光を透過する部分のみ、透光性を有していてもよい。
【００１６】
圧電センサーは、圧力が作用すると、電荷が発生するものである。当該圧力は、人の歩行や走行によって与えられる。
【００１７】
受信装置は、非常用信号を有線または無線のいずれで受信するものであってもよい。
【００１８】
非常用信号は、火災発生信号、地震発生信号、不審者等の侵入による非常事態信号や停電信号などである。
【００１９】
点灯装置は、各パネルに設けられた光源に対応して個別に設けられてもよく、各パネルに設けられた光源を個別に制御するように形成されていてもよい。前者の場合、制御装置は、受信装置が非常用信号を受信したときに、蓄電装置と全ての点灯装置とを接続させてもよく、蓄電装置と光源を点灯させる点灯装置とを接続させてもよい。
【００２０】
また、点灯装置は、蓄電装置に接続されて蓄電装置から電源としての電力が入力されると、光源を所定の電力で点灯させるように形成されていてもよく、蓄電装置に接続された後に、制御装置の制御に応じて光源を点消灯または調光点灯させるように形成されていてもよい。
【００２１】
「制御装置が蓄電装置を点灯装置に接続させる」とは、蓄電装置と点灯装置とが例えばリレーや半導体スイッチなどで接続され、制御装置が当該リレーや半導体スイッチなどを導通させることを意味する。
【００２２】
本発明によれば、部屋に出入りする人または部屋に留まっている人が圧電センサーを設けているパネル上を歩行すると、この歩行による圧力がパネルに設けられている圧電センサーに作用して、圧電センサーが発電する。圧電センサーによって発電された電力は、蓄電装置に貯蔵される。
【００２３】
そして、受信装置が非常用信号を受信すると、制御装置は、蓄電装置と点灯装置とを接続させるとともに、光源の放射光が出射されるパネルにより部屋の出口への誘導経路が形成されるように点灯装置を制御する。点灯装置は、蓄電装置に貯蔵された電力が電源として入力され、光源を点灯させる。光源から放射された光は、パネルの上面から上方に出射される。光源からの放射光が出射されるパネルに沿って誘導経路が形成され、人が当該誘導経路に沿って移動することにより、人は、部屋の出口から避難される。
【００２４】
請求項２に記載の避難誘導照明システムの発明は、請求項１記載の避難誘導照明システムの発明において、前記光源が設けられた少なくとも１個のパネルは、部屋の出口の近傍に設けられ、当該パネルに設けられた前記光源は、専用の点灯装置により点灯制御されるとともに、当該専用の点灯装置に給電可能な非常用電源が設けられていることを特徴とする。
【００２５】
本発明によれば、蓄電装置に貯蔵されている電力が消費されて光源が消灯し、光源の放射光による部屋の出口への誘導経路が形成されなくなっても、あるいは蓄電装置に貯蔵されている電力が少なく、光源の点灯を維持できず、光源の放射光による部屋の出口への誘導経路が形成されなくても、部屋の出口の近傍に設けられたパネルから当該パネルに設けられた光源の放射光が出射される。そして、人が当該光源の放射光に向かって移動することにより、人は、部屋の出口から避難される。
【００２６】
請求項３に記載の避難誘導照明システムの発明は、請求項２記載の避難誘導照明システムの発明において、前記非常用電源は、通常時、交流電源を直流電源に変換するＡＣ−ＤＣ変換装置により充電され、前記制御装置は、前記交流電源の停電を非常用信号として入力することを特徴とする。
【００２７】
ＡＣ−ＤＣ変換装置は、非常用電源に一体に設けられてもよく、非常用電源と別体に設けられていてもよい。
【００２８】
本発明によれば、交流電源の停電時、部屋のパネルに設けられた光源の点灯により部屋の出口への誘導経路が形成されるとともに、部屋の出口の近傍に設けられたパネルの光源の点灯により部屋の出口が人に対して認識されるので、人は、パネルの上面から上方に出射される光源の放射光に沿って移動することにより、部屋の出口から避難される。
【００２９】
請求項４に記載の避難誘導照明システムの発明は、請求項１ないし３いずれか一記載の避難誘導照明システムの発明において、前記パネルは、置物の荷重を検出する荷重センサーを設けており、前記制御装置は、当該荷重センサーが置物の荷重を検出している前記パネルに前記光源が設けられている場合には、前記光源を点灯しないように前記点灯装置を制御することを特徴とする。
【００３０】
本発明によれば、制御装置は、置物が設置されているパネルに設けられている光源を点灯させず、当該光源の放射光による部屋の出口への誘導経路を形成しないので、人は、他の光源の点灯により形成される部屋の出口への誘導経路に沿って移動し、部屋の出口から避難される。
【発明の効果】
【００３１】
請求項１の発明によれば、光源および圧電センサーがそれぞれ部屋の床面として敷設されるパネルに設けられ、蓄電装置が圧電センサーに接続されるので、避難誘導照明システムを部屋ごとに簡易に施工することができて安価にすることができるとともに、蓄電装置が圧電センサーによって発電された電力を貯蔵し、商用交流電源により充電されないので、避難誘導照明システムの維持費を低減することができて、省電力を図ることができる。
【００３２】
請求項２の発明によれば、蓄電装置に貯蔵された電力が不足し、光源が点灯しなくなっても、部屋の出口の近傍に設けられたパネルから当該パネルに設けられた光源の放射光が出射するので、人は、当該光源の放射光を目標にして移動することができ、これにより、安全に出口から避難することができる。
【００３３】
請求項３の発明によれば、交流電源が停電すると、部屋のパネルに設けられた光源の点灯により部屋の出口への誘導経路が形成されるとともに、部屋の出口の近傍に設けられたパネルから当該パネルに設けられた光源の放射光が出射して部屋の出口が人に対して認識されるので、人は、部屋が停電によって暗くなっても、安全に部屋の出口側に移動して、部屋の出口から避難することができる。
【００３４】
請求項４の発明によれば、制御装置は、置物が設置されているパネルに設けられている光源を点灯させないで、他の光源の点灯により部屋の出口への誘導経路を形成するので、人は、置物が障害となることなく、安全に部屋の出口に移動して、部屋の出口から避難することができる。
【図面の簡単な説明】
【００３５】
【図１】本発明の実施例１を示す避難誘導照明システムの概略構成図。
【図２】同じく、部屋の床面を示し、（ａ）は第１および第２のパネルの配置を示す説明図、（ｂ）は第２のパネルでの発電を示す説明図、（ｃ）は第１のパネルによる誘導経路を示す説明図。
【図３】同じく、光源の概略構成図。
【図４】同じく、圧電センサーの概略構成図。
【図５】本発明の実施例２を示す避難誘導照明システムの概略構成図。
【図６】同じく、部屋の床面を示し、（ａ）は第１および第２のパネルの配置を示す説明図、（ｂ）は第１のパネルによる誘導経路を示す説明図、（ｃ）は第１のパネルによる避難口を示す説明図。
【図７】本発明の実施例３を示す避難誘導照明システムの概略構成図。
【図８】同じく、部屋の床面を示し、（ａ）は第１および第２のパネルの配置を示す説明図、（ｂ）は第１のパネルによる誘導経路を示す説明図、（ｃ）は第１のパネルによる他の誘導経路を示す説明図。
【発明を実施するための形態】
【００３６】
以下、本発明の一実施の形態について、図面を参照して説明する。
【００３７】
本発明において、部屋の床面に敷設されるパネルには、それぞれ光源および圧電センサーが設けられている。そして、人が圧電センサーを設けているパネル上を歩行または走行するときに圧電センサーに圧力を作用させて電力（電荷）を発生させ、当該電力を蓄電装置に貯蔵させる。
【００３８】
そして、例えば火災発生の非常時に、点灯装置は、蓄電装置に貯蔵された電力を電源として入力し、部屋の出口への誘導経路が形成されるように光源を点灯させる。これにより、人は、光源が点灯しているパネルに沿って部屋の出口へ避難誘導される。
【実施例１】
【００３９】
図１ないし図４は、本発明の実施例１を示し、図１は避難誘導照明システムの概略構成図、図２は部屋の床面を示し、図２（ａ）は第１および第２のパネルの配置を示す説明図、図２（ｂ）は第２のパネルでの発電を示す説明図、図２（ｃ）は第１のパネルによる誘導経路を示す説明図、図３は光源の概略構成図、図４は圧電センサーの概略構成図である。
【００４０】
図１において、避難誘導照明システム１は、パネルとしての第１のパネル２および第２のパネル３、光源としての有機エレクトロルミネッセンス（ＥＬ）素子４、圧電センサー５、蓄電装置６、点灯装置７、受信装置８および制御装置９を有して構成されている。蓄電装置６、点灯装置７、受信装置８および制御装置９は、図２に示すように、それぞれ部屋１０の床面１１の下側に配設されている。
【００４１】
第１のパネル２は、例えばアクリル板などの可視光を透過する透光板からなり、所定の肉厚例えば１０ｍｍを有する長方形に形成されている。また、第１のパネル２は、そのものが目立たないように、例えば茶色や茶褐色などに着色されている。第２のパネル３は、第１のパネル２と同一の材料を用いて、同一の形状および大きさに形成されている。
【００４２】
第１および第２のパネル２，３は、それぞれ複数個であり、図２（ａ）に示すように、部屋１０の床面１１となるように敷設される。ここで、第１のパネル２は、自己により部屋１０の出口１２への誘導経路１３が形成される位置に敷設され、第２のパネル３は、人が歩行する位置に敷設されている。そして、部屋１０の床面１１は、第１および第２のパネル２，３の他に、第３のパネル１４および部屋１０の両端に敷設された板材１５，１５により形成されている。
【００４３】
光源としての有機ＥＬ素子４は、各第１のパネル２に設けられている。また、有機ＥＬ素子４は、図３に示すように、第１のパネル２の下面２ｂに設けられている。
【００４４】
有機ＥＬ素子４は、第１のパネル２の下面２ｂに、透明導電膜からなる陽極１６、有機発光層１７および陰極１８の順に形成されている。陽極１６は、例えば、インジウム−スズ酸化物（ＩＴＯ）、酸化錫（ＳｎＯ2）、酸化亜鉛（ＺｎＯ）等の透明性導電材料からなり、第１のパネル２の下面２ｂに、真空蒸着やスパッタリングなどにより薄膜に形成されている。
【００４５】
有機発光層１７は、陽極１６の側に図示しないホール輸送層、陰極１８の側に図示しない電子注入層を積層した多層構成に形成されている。そして、陽極１６側を正電圧として陽極１６および陰極１８間に直流電圧が印加されると、電子注入層を介して注入された電子と、ホール輸送層を介して注入されたホールとが有機発光層１７内で結合して発光が起きるものである。有機発光層１７は、直流電圧の印加により例えば白色光を発光する各種有機物や有機化合物を用いて形成されている。
【００４６】
陰極１８は、例えば、アルミニウム（Ａｌ）やマグネシウム（Ｍｇ）などからなり、有機発光層１７の表面に、真空蒸着やスパッタリングなどにより薄膜に形成されている。陰極１８は、光透過しない又は光透過の低い電極材料が用いられることにより、有機発光層１７における発光を陽極１６側に照射する。これにより、有機ＥＬ素子４の放射光は、透光性の第１のパネル２を透過し、第１のパネル２の上面２ａから上方に出射される。
【００４７】
有機ＥＬ素子４は、図１に示すように、陽極１６および陰極１８が点灯装置７の出力間に接続されている。そして、点灯装置７から出力された直流電圧が陽極１６および陰極１８に印加すると、点灯し、白色光を放射する。
【００４８】
上述したように、有機ＥＬ素子４は、第１のパネル２の下面２ｂに設けられているので、第１のパネル２の上面２ａを人が歩行または走行しても破壊や損傷しにくいものである。また、有機ＥＬ素子４の点灯は、第１のパネル２の上面２ａから出射される放射光により確認される。
【００４９】
なお、有機ＥＬ素子４は、透光性部材を介して第１のパネル２の下面２ｂに取り付けてもよい。
【００５０】
圧電センサー５は、各第２のパネル３に設けられている。また、圧電センサー５は、図４に示すように、第２のパネル３の下面３ｂに設けられ、かつ第２のパネル３と図示しない外部部材とにより挟持されるように設けられている。
【００５１】
圧電センサー５は、金属ダイアフラム１９の一面に下地層２０、圧電薄膜層（圧電素子）２１および上部電極２２の順に成膜して形成されている。当該成膜の形成は、例えば物理気相成長（ＰＶＤ）法を用いている。そして、金属ダイアフラム１９の他面を第２のパネル３の下面３ｂに図示しない接着材により貼着している。金属ダイアフラム１９は、例えばステンレス（ＳＵＳ）からなり、第２のパネル３に作用した圧力を圧電薄膜層２１に伝達するとともに、圧電センサー５の基板としての機能を有している。
【００５２】
下地層２０は、金属ダイアフラム１９と圧電薄膜層２１との緩衝層として機能するとともに、下部電極としても機能している。下地層２０の材料は、例えばタングステン（Ｗ）、アルミニウム（Ａｌ）、ニッケル（Ｎｉ）、銅（Ｃｕ）、金（Ａｕ）または銀（Ａｇ）などが用いられている。下地層２０は、それらの材料の単層または２層以上の複層からなっている。
【００５３】
圧電薄膜層２１は、金属ダイアフラム１９および下地層２０を介して伝達された圧力を受けて、その圧力に応じた電力（電荷）を発生させて出力する。圧電薄膜層２１は、例えば窒化アルミニウム（ＡｌＮ）または酸化亜鉛（ＺｎＯ）を用いて形成されている。
【００５４】
上部電極２２は、下地層２０と同様の材料を用いて形成されている。そして、金属ダイアフラム１９とともに、リード線２３が接続されており、当該リード線２３に圧電薄膜層２１で発生した電力（電荷）を出力する。
【００５５】
このように、圧電センサー５は、第２のパネル３の下面３ｂに設けられているので、第２のパネル３の上面３ａを人が歩行または走行しても破壊や損傷しにくいものである。そして、圧電センサー５は、図２（ｂ）に示すように、人が第２のパネル３の上面３ａを歩行または走行し、第２のパネル３への圧力が作用することによって発電するものである。そして、各圧電センサー５は、図１に示すように、その金属ダイアフラム１９（下地層２０）および上部電極２２が蓄電装置６の入力間に接続されている。
【００５６】
蓄電装置６は、大容量の図示しないバッテリを備えており、このバッテリに圧電センサー５によって発電された電力（電荷）を貯蔵するように形成されている。蓄電装置６の出力間は、開閉器２４の常開接点２４ａ，２４ａを介して各点灯装置７の入力間に接続されている。
【００５７】
点灯装置７は、開閉器２４の常開接点２４ａ，２４ａが閉路されると、その入力間が蓄電装置６の出力間に接続されて、蓄電装置６に貯蔵された電力が電源として入力される。そして、点灯装置７は、各有機ＥＬ素子４に対応して個別に設けられ、制御装置９の制御により、有機ＥＬ素子４の陽極１６および陰極１８間に直流電圧を出力して有機ＥＬ素子４を点灯させるように、周知の構成により形成されている。
【００５８】
受信装置８は、平面アンテナ２５が受信した非常用信号を制御装置９に出力するように形成されている。平面アンテナ２５は、図２に示すように、床面１１に露出するように床面１１である板材１５に配設されている。非常用信号は、例えば、火災発生を報知する火災発生信号や予め設定された震度以上の地震を報知する地震発生信号などであり、例えば建物の中央制御室から無線信号で送信されるものである。
【００５９】
制御装置９は、図１に示すように、信号受信部２６、主制御部２７、信号送信部２８、電源部２９および開閉器２４を有して形成されている。信号受信部２６は、受信装置８から出力された非常用信号を入力し、主制御部２７に送出するように形成されている。
【００６０】
主制御部２７は、マイコン、ＲＯＭやＲＡＭ等を有して形成されている。そして、主制御装置２７は、信号受信部２６から送出された非常用信号を入力すると、開閉器２４の常開接点２４ａ，２４ａを閉路させて蓄電装置６を各点灯装置７に接続させるとともに、部屋１０の出口（避難口）１２への誘導経路１３を形成する各第１のパネル２に設けられている有機ＥＬ素子４を点灯させるように、当該有機ＥＬ素子４を点灯する点灯装置７に対する点灯制御信号を演算生成する。ここで、第１のパネル２により誘導経路１３を形成するために点灯制御される有機ＥＬ素子４および当該有機ＥＬ素子４を点灯する点灯装置７は、前もってプログラム化されてＲＯＭに記憶させている。
【００６１】
信号送信部２８は、点灯制御される有機ＥＬ素子４を点灯する点灯装置７に対して前記点灯制御信号を出力する。点灯装置７は、点灯制御信号に応じて、有機ＥＬ素子４に直流電圧を出力し、有機ＥＬ素子４を点灯させる。有機ＥＬ素子４は、白色光を放射する。この白色光は、第１のパネル２を透過して第１のパネル２の上面２ａから上方（天井側）に出射される。これにより、図２（ｃ）に示すように、白色光を出射している第１のパネル２により、部屋１０の出口１２への誘導経路１３が形成される。
【００６２】
図１において、電源部２９は、商用交流電源Ｖｓに接続され、交流電圧を所定の直流電圧に変換して、当該直流電圧を動作電源として主制御部２７などに供給するように形成されている。また、電源部２９は、通常時、前記直流電圧により充電される図示しないバッテリを備えており、商用交流電源Ｖｓの停電時に、当該バッテリから直流電圧を主制御部２７などに供給するように形成されている。
【００６３】
開閉器２４は、通常時、常開接点２４ａ，２４ａが開路している。したがって、通常時、蓄電装置６には、各圧電センサー５によって発電された電力（電荷）が継続して貯蔵される。そして、開閉器２４は、受信装置８が非常用信号を受信したときに、主制御部２７の制御により、常開接点２４ａ，２４ａが閉路される。これにより、蓄電装置６に貯蔵された電力が各点灯装置７に電源として入力される。
【００６４】
なお、制御装置９は、誘導経路１３を形成する第１のパネル２に設けられた有機ＥＬ素子４を点滅制御させるように点灯装置７を制御してもよく、当該有機ＥＬ素子４を部屋１０の出口１２への誘導経路１３に沿って順次点灯させるように各点灯装置７を制御してもよい。
【００６５】
次に、本発明の実施例１の作用について述べる。
【００６６】
人が部屋１０内を移動し、図２（ｂ）に示すように、第２のパネル３の上面３ａを歩行または走行すると、当該歩行または走行による圧力が第２のパネル３を介して圧電センサー５に作用する。圧電センサー５は、当該圧力が作用したときに発電し、発電した電力（電荷）は、蓄電装置６に貯蔵される。蓄電装置６は、自己放電による電力の損失よりも前記発電による電力の貯蔵が上回り、貯蔵される電力の容量がほぼ満杯状態になることも可能である。
【００６７】
そして、例えば建物に火災が発生し、または予め設定された震度以上の地震が発生するなどして、建物の中央制御室から非常用信号が無線信号で送信されると、当該非常用信号は、部屋１０の床面１１の板材１５に設けられた平面アンテナ２５で受信され、受信装置８から制御装置９に送出される。
【００６８】
制御装置９の主制御部２７は、開閉器２４を制御して常開接点２４ａ，２４ａを閉路させる。これにより、蓄電装置６の出力側が各点灯装置７の入力側に接続され、各点灯装置７は、蓄電装置６に貯蔵された電力が電源として入力される。そして、主制御部２７は、例えばＲＯＭに記憶されているプログラムに基づいて、有機ＥＬ素子４の放射光（白色光）が出射される第１のパネル２により部屋１０の出口１２への誘導経路１３が形成されるように、各点灯装置７を制御する。すなわち、主制御部２７は、誘導経路１３を形成する第１のパネル２に設けられた有機ＥＬ素子４を点灯する点灯装置７に対して、点灯制御信号を出力する。
【００６９】
点灯装置７は、点灯制御信号に応じて有機ＥＬ素子４を点灯させる。有機ＥＬ素子４は、白色光を放射し、この白色光は、第１のパネル２を透過して上面２ａから上方に出射される。そして、図２（ｃ）に示すように、有機ＥＬ素子４から放射された白色光が上方に出射される第１のパネル２に沿って誘導経路１３が形成される。人は、当該誘導経路１３に沿って移動することにより、容易に部屋１０の出口１２に到達することができて、出口１２から避難することができる。
【００７０】
そして、避難誘導照明システム１は、光源としての有機ＥＬ素子４および圧電センサー５がそれぞれ部屋１０の床面１１として敷設される第１および第２のパネル２，３に設けられ、蓄電装置６が圧電センサー５に接続されるので、部屋１０ごとに簡易に施工することができて安価にすることができる。また、蓄電装置６は、商用交流電源Ｖｓの電力により充電されず、圧電センサー５によって発電された電力を貯蔵するので、避難誘導照明システム１の維持費を低減することができて、省電力を図ることができる。
【実施例２】
【００７１】
図５および図６は、本発明の実施例２を示し、図５は避難誘導照明システムの概略構成図、図６は部屋の床面を示し、図６（ａ）は第１および第２のパネルの配置を示す説明図、図６（ｂ）は第１のパネルによる誘導経路を示す説明図、図６（ｃ）は第１のパネルによる避難口を示す説明図である。なお、図１および図２と同一部分には、同一符号を付して説明は省略する。
【００７２】
図５に示す避難誘導照明システム３０は、図１に示す避難誘導照明システム１において、部屋１０の出口１２の近傍に設けられている第１のパネル２Ｃ（図６（ａ）に示す。）に設けられた有機ＥＬ素子４を点灯する点灯装置７Ｃは、電源が蓄電装置６から入力されるのではなく、非常用電源３１から入力するように設けられている。すなわち、非常用電源３１は、点灯装置７Ｃのみに給電可能に設けられ、点灯装置７Ｃは、非常用電源３１を電源として入力する専用の点灯装置となっている。なお、第１のパネル２Ｃは、部屋１０の出口１２の近傍に設けられた複数個であってもよく、この場合、専用の点灯装置７Ｃは、各第１のパネル２Ｃに設けられた有機ＥＬ素子４を点灯する複数個からなる。
【００７３】
そして、専用の点灯装置７Ｃの入力側は、制御装置９Ａに設けられた開閉器３２の常開接点３２ａ，３２ａを介して非常用電源３１の出力側に接続されている。主制御部２７が開閉器３２を制御して常開接点３２ａ，３２ａが閉路されると、専用の点灯装置７Ｃには、非常用電源３１が入力される。
【００７４】
非常用電源３１は、ＡＣ−ＤＣ変換装置３３および蓄電池部３４からなっている。ＡＣ−ＤＣ変換装置３３は、商用交流電源Ｖｓに接続され、商用交流電源Ｖｓを一定の直流電源に変換する。蓄電池部３４は、例えばバッテリからなり、商用交流電源Ｖｓが停電していない通常時、ＡＣ−ＤＣ変換装置３３により充電されている。
【００７５】
また、制御装置９Ａは、商用交流電源Ｖｓの停電を検出する停電検出部３５が設けられている。停電検出部３５は、商用交流電源Ｖｓが停電すると、停電検出信号を主制御部２７に出力する。主制御部２７は、停電検出信号を非常用信号として入力し、実施例１において説明したように、点灯装置７および専用の点灯装置７Ｃを制御する。
【００７６】
次に、本発明の実施例２の作用について述べる。
【００７７】
制御装置９Ａの主制御部２７は、受信装置８から非常用信号が入力されると、開閉器２４を制御して蓄電装置６を電源として点灯装置７に接続させ、開閉器３２を制御して非常用電源３１を電源として点灯装置７Ｃに接続させる。そして、例えばＲＯＭに記憶されているプログラムに基づいて、第１のパネル２Ｃに設けられた有機ＥＬ素子４が点灯するように点灯装置７Ｃを制御するとともに、第１のパネル２Ｃを含めて、有機ＥＬ素子４の放射光（白色光）が出射される第１のパネル２により部屋１０の出口１２への誘導経路１３が形成されるように、各点灯装置７を制御する。すなわち、主制御部２７は、誘導経路１３を形成する第１のパネル２，２Ｃにそれぞれ設けられた有機ＥＬ素子４を点灯する点灯装置７，７Ｃに対して、点灯制御信号を出力する。
【００７８】
点灯装置７，７Ｃは、点灯制御信号に応じて有機ＥＬ素子４を点灯させる。有機ＥＬ素子４は、白色光を放射し、この白色光は、第１のパネル２，２Ｃを透過して第１のパネル２，２Ｃの上方に出射される。そして、図６（ｂ）に示すように、有機ＥＬ素子４から放射された白色光が上方に出射される第１のパネル２，２Ｃに沿って誘導経路１３が形成される。人は、当該誘導経路１３に沿って移動することにより、容易に部屋１０の出口１２に到達することができて、出口１２から避難することができる。
【００７９】
そして、蓄電装置６に貯蔵されている電力が消費されて蓄電装置６を電源とする有機ＥＬ素子４が消灯し、部屋１０の出口１２への誘導経路１３が形成されなくなっても、あるいは蓄電装置６に貯蔵されている電力が少なく、蓄電装置６を電源とする有機素子４の点灯を維持できず、部屋１０の出口１２への誘導経路１３が形成されなくても、図６（ｃ）に示すように、部屋１０の出口１２の近傍に設けられた第１のパネル２Ｃから当該第１のパネル２Ｃに設けられた有機ＥＬ素子４の放射光（白色光）が第１のパネル２Ｃの上方に出射される。したがって、人は、第１のパネル２Ｃから上方に出射される放射光（白色光）を目標にして部屋１０の出口１２に移動することができるので、安全に出口から避難することができる。
【００８０】
そして、商用交流電源Ｖｓが停電しても、上記同様、各第１のパネル２から上方に出射される放射光（白色光）により部屋１０の出口１２への誘導経路１３が形成されるとともに、部屋１０の出口１２の近傍に設けられた第１のパネル２Ｃから上方に有機ＥＬ素子４の放射光（白色光）が出射して部屋１０の出口１２が人に対して認識される。したがって、人は、部屋１０が商用交流電源Ｖｓの停電によって暗くなっても、安全に部屋１０の出口１２側に移動して、部屋１０の出口１２から避難することができる。
【００８１】
また、商用交流電源Ｖｓの停電時、蓄電装置６に貯蔵された電力が不足し、蓄電装置６を電源とする有機ＥＬ素子４が点灯しなくなっても、上述したように、部屋１０の出口１２の近傍に設けられた第１のパネル２Ｃから当該第１のパネル２Ｃに設けられた有機ＥＬ素子４の放射光（白色光）が第１のパネル２Ｃの上方に出射されるので、人は、第１のパネル２Ｃから上方に出射される放射光（白色光）を目標にして部屋１０の出口１２に移動することができて、安全に出口から避難することができる。
【実施例３】
【００８２】
図７および図８は、本発明の実施例３を示し、図７は避難誘導照明システムの概略構成図、図８は部屋の床面を示し、図８（ａ）は第１および第２のパネルの配置を示す説明図、図８（ｂ）は第１のパネルによる誘導経路を示す説明図、図８（ｃ）は第１のパネルによる他の誘導経路を示す説明図である。なお、図５および図６と同一部分には、同一符号を付して説明は省略する。
【００８３】
図７に示す避難誘導照明システム３６は、図５に示す避難誘導照明システム３０において、部屋１０の出口１２の近傍に設けられた第１のパネル２Ｃを除く第１のパネル２に荷重センサー３７が設けられたものである。荷重センサー３７は、第１のパネル２の下面２ｂの中央部に、当該下面２ｂに当接するようにして図示しない外部部材により固定されている。荷重センサー３７は、例えばピエゾ素子の圧電効果を用いて荷重に応じた信号を出力するように形成されている。そして、光源としての有機ＥＬ素子４は、第１のパネル２の下面２ｂにおいて、荷重センサー３７の周囲に形成されている。
【００８４】
第１のパネル２は、図８（ａ）に示すように、複数の誘導経路１３を形成可能に部屋１０の床面１１として敷設されている。また、第２のパネル３は、人が歩行または走行することのできる位置に敷設されている。そして、第１および第２のパネル２，３の一部には、机などの置物３８が設置されている。
【００８５】
図７において、制御装置９Ｂには、荷重検出部３９が設けられている。荷重検出部３９は、各加重センサー３７から出力された荷重に応じた信号を入力し、当該荷重を荷重センサー３７のアドレスとともに主制御部２７に送出するように形成されている。主制御部２７は、当該荷重センサー３７のアドレスおよび荷重に基づいて、置物３８が設置されている第１のパネル２を判断する。そして、受信装置８が非常用信号を受信したとき、または停電検出部３５が商用交流電源Ｖｓの停電を検出したときに、置物３８が設置されている第１のパネル２に設けられている有機ＥＬ素子４を点灯させないように制御するものである。
【００８６】
そして、主制御部２７は、置物３８が設置されている第１のパネル２以外の第１のパネル２，２Ｃを用いて、部屋１０の出口１２への誘導経路１３を演算し、当該誘導経路１３を形成する第１のパネル２，２Ｃに設けられた有機ＥＬ素子４を点灯させるように、当該有機ＥＬ素子４を点灯する点灯装置７，７Ｃを制御する。そして、図８（ｂ）または図８（ｃ）に示すように、第１のパネル２，２Ｃから上方に出射される放射光（白色光）により、誘導経路１３が形成される。
【００８７】
上述したように、例えば火災や地震が発生して、受信装置８が非常用信号を受信したときや商用交流電源Ｖｓが停電したときに、制御装置９Ｂは、置物３８が設置されている第１のパネル２に設けられている有機ＥＬ素子４を点灯させず、当該有機ＥＬ素子４が設けられた第１のパネル２以外の第１のパネル２，２Ｃを用いて部屋１０の出口１２への誘導経路１３を形成する。これにより、人は、置物３８が障害となることなく、第１のパネル２，２Ｃから上方に出射される有機ＥＬ素子４の放射光（白色光）に沿って安全に部屋１０の出口１２に移動することができ、部屋１０の出口１２から避難することができる。
【産業上の利用可能性】
【００８８】
本発明は、各種の建物や施設等において、火災や地震などの災害発生時に、人を避難誘導する避難誘導システムなどに利用することができる。
【符号の説明】
【００８９】
１，３０，３６…避難誘導照明システム、  ２…パネルとしての第１のパネル、  ３…パネルとしての第２のパネル、  ４…光源としての有機エレクトロルミネッセンス（ＥＬ）素子、  ５…圧電センサー、  ６…蓄電装置、  ７…点灯装置、  ７Ｃ…専用の点灯装置、  ８…受信装置、  ９，９Ａ，９Ｂ…制御装置、  ３１…非常用電源、  ３７…荷重センサー
【図１】
2011028627.tif 000003
【図２】
2011028627.tif 000004
【図３】
2011028627.tif 000005
【図４】
2011028627.tif 000006
【図５】
2011028627.tif 000007
【図６】
2011028627.tif 000008
【図７】
2011028627.tif 000009
【図８】
2011028627.tif 000010